(57)【要約】【課題】ハウジングと蓋の組立構成が単一工程により行われるようにして組立工数を減少させ、それによって作業を簡易で、迅速に行うことができる。また、組立工程を自動化するコストを低減することができ、組み立てられた蓋をハウジングから分離してもハウジングが損傷しないようにして、関連部品を再使用できる蓋の組立が容易なプッシュスイッチを提供する。【解決手段】本発明のプッシュスイッチは、一側が開放された内部にスイッチ機能のための部品が設けられるハウジング１０と、前記ハウジング１０の開放部を覆う蓋２０を備え、前記ハウジング１０の開放された一側面に複数の係合突出部１１を形成し、前記蓋２０には前記係合突出部１１の外周面が嵌め込まれる複数の係合孔２１を形成し、前記蓋２０の係合孔２１には、前記係合突出部１１が係合孔２１に挿入される際弾性変形し、この弾性変形による復原力で係合突出部１１の外周面と密着する係合片２２を形成した。【選択図】図１
2013033648.tif 000002
【特許請求の範囲】
【請求項１】
一側が開放された内部にスイッチ機能のための部品が設けられるハウジングと、前記ハウジングの開放部を覆う蓋を備えるプッシュスイッチにおいて、
前記ハウジングの開放された一側面に複数の係合突出部を形成し、前記蓋には前記係合突出部の外周面が嵌め込まれる複数の係合孔を形成し、
前記蓋の係合孔には、前記係合突出部が係合孔に挿入される際弾性変形し、この弾性変形による復原力で係合突出部の外周面と密着する係合片を形成したことを特徴とする蓋の組立が容易なプッシュスイッチ。
【請求項２】
前記蓋の係合片は、係合孔の両内縁部を平行に切り取った一対の切欠溝により形成され、前記係合片に対向する係合突出部の両側面には係合片に向けて突出させた密着部を形成したことを特徴とする請求項１に記載の蓋の組立が容易なプッシュスイッチ。
【発明の詳細な説明】
【技術分野】
【０００１】
本発明はプッシュスイッチに関するもので、より詳細には内部にスイッチ機能のための多数の部品が設けられるハウジングの開放部を覆う蓋の組立作業を非常に簡易で、迅速に行うことができ、組み立てられた蓋をハウジングから分離する際、ハウジングの損傷を防止して関連部品を再使用することができる蓋の組立が容易なプッシュスイッチに関するものである。
【背景技術】
【０００２】
一般的に、プッシュスイッチは携帯端末機、ゲーム機、各種電子機器などに多く使用するもので、従来のプッシュスイッチの構成が図４に示した。図４に示したように、従来のプッシュスイッチは、一側が開放された絶縁樹脂材のハウジング１と、ハウジング１内に設けられたドーム状の可動端子２及び複数の固定端子３と、前記ハウジング１に押し操作可能に設けられて可動端子２を作動させる押しボタン４と、前記ハウジング１の開放部を覆う蓋５から構成されている。
【０００３】
したがって、押しボタン４の押し操作で可動端子２の頂点部を押圧すると、頂点部が下方に弾性変形及び復元して複数の固定端子３を電気的に接続または開放することによって、スイッチ機能を行う。
【０００４】
このような従来のプッシュスイッチにおいて、前記ハウジング１と蓋５の組立構成をみると、合成樹脂材のハウジング１に形成した係合突起１ａと、金属材の蓋５に形成した係合孔５ａを含み、これらの係合作用により蓋５がハウジング１に組み立てるようになる。すなわち、ハウジング１の係合突起１ａを蓋５の係合孔５ａに嵌め込んだ後(図５の仮想線で示す状態)、係合孔５ａを貫通して突出した係合突起１ａの先端部分を熱溶融させて断面積を拡張させることによって、蓋５をハウジング１に固定した。
【０００５】
しかし、前述したようなプッシュスイッチの組立構成においては、ハウジング１の係合突起１ａを蓋５の係合孔５ａに係合する工程と、係合孔５ａに貫設した係合突起１ａを熱溶融させると共に、断面積を拡張させる工程を行わなければならない。そのため、組立工数が増加して生産性が低下し、さらに組立工程を自動化する場合はコストが上昇する短所がある。
【０００６】
また、従来構成のプッシュスイッチにおいて、組み立てられた蓋５をハウジング１から分離する場合、係合突起１ａを再び溶融させて除去しなければならない。これによって、係合突起１ａが変形して損傷するため、ハウジング１と蓋５を再び組み立てることができない。したがって、ハウジング１だけでなく、ハウジング１内に固設した多数の部品も再使用することができないため、経済的損失が大きい問題がある。
【発明の概要】
【発明が解決しようとする課題】
【０００７】
本発明は前述した従来の問題点を解決するためになされたもので、その目的はハウジングと蓋の組立が単一工程により行われるように構成して組立工数を減少させることによって、作業を簡易で、迅速に行うことができ、組立工程を自動化してコストを低減することができる蓋の組立が容易なプッシュスイッチを提供することにある。
【０００８】
また、本発明の他の目的は、組み立てられた蓋をハウジングから分離してもハウジングが損傷しないので、関連部品を再使用することができ、それによって経済的損失が防止できる、蓋の組立が容易なプッシュスイッチを提供することにある。
【課題を解決するための手段】
【０００９】
前述した目的を達成するための本発明に係る蓋の組立が容易なプッシュスイッチは、一側が開放された内部にスイッチ機能のための部品が設けられるハウジングと、前記ハウジングの開放部を覆う蓋を備えるプッシュスイッチにおいて、前記ハウジングの開放された一側面に複数の係合突出部を形成し、前記蓋には前記係合突出部の外周面が嵌め込まれる複数の係合孔を形成し、前記蓋の係合孔には、前記係合突出部が係合孔に挿入される際弾性変形し、この弾性変形による復原力で係合突出部の外周面と密着する係合片を形成したことを特徴とする。
【００１０】
ここで、前記蓋の係合片は、係合孔の両内縁部を平行に切り取った一対の切欠溝により形成され、前記係合片に対向する係合突出部の両側面には係合片に向けて突出させた密着部を形成したことが好ましい。
【発明の効果】
【００１１】
本発明のプッシュスイッチによれば、ハウジングの係合突出部に蓋の係合孔を挿入する作業により蓋の係合片が弾性変形し、この係合片の弾性変形による復原力で係合突出部の外周面に係合片の先端が密着して固定されることによって、ハウジングと蓋の組立作業を単一工程により非常に簡易で、迅速に行うことができる。これによって、製品組立時の作業工数が減少して生産性が向上し、組立工程を自動化する場合コストを低減できる。
【００１２】
また、本発明はハウジングの係合突出部に密着されている蓋の係合片を係合突出部から若干離間させると、ハウジングの係合突出部が損傷しない状態で蓋をハウジングから容易に分離できる。したがって、ハウジングと蓋を再び組み立てることができるので、経済的損失を防止する効果がある。
【図面の簡単な説明】
【００１３】
【図１】本発明のプッシュスイッチを示した分離斜視図である。
【図２Ａ】図２Ａは本発明のプッシュスイッチにおいてハウジングと蓋を示した平面図である。
【図２Ｂ】図２Ｂは本発明のプッシュスイッチにおいてハウジングと蓋を示した平面図である。
【図３Ａ】図３Ａは本発明のプッシュスイッチにおいてハウジングと蓋の組立状態を示した図である。
【図３Ｂ】図３Ｂは本発明のプッシュスイッチにおいてハウジングと蓋の組立状態を示した図である。
【図４】従来のプッシュスイッチを示した断面図である。
【発明を実施するための形態】
【００１４】
以下、本発明の好ましい実施形態について添付図面に基づいて詳細に説明する。図１は本発明のプッシュスイッチにおいてハウジング１０と蓋２０が分離された状態を示した斜視図であり、図２Ａ及び図２Ｂはハウジング１０と蓋２０の平面図であり、図３Ａ及び図３Ｂはハウジング１０と蓋２０の組立過程を示した断面図である。
【００１５】
図１に示したように、本発明のプッシュスイッチは、内部にスイッチ機能のための多数の部品が設けられるハウジング１０と、前記ハウジング１０の開放された上部を覆う蓋２０を備える。
【００１６】
前記ハウジング１０は絶縁樹脂を射出成形して製作した六面体形状になっており、内部空間にはスイッチ機能のためのメタルドームスイッチ(不図示)が設けられ、上部は押しボタン３０などの部品を設けることができるように開放されている。また、部品の設置後には開放された上部を金属材質の蓋２０で覆うように構成されている。また、ハウジング１０にはスイッチ機能のための第１及び第２固定端子４１、４２がハウジング１０の射出成形時埋め込まれる。これらの固定端子４１、４２の一端はハウジング１０内の底面に配置され、他端はハウジング１０外部に露出している。
【００１７】
図２Ａ及び図２Ｂに示したように、ハウジング１０と蓋２０の組立構造は、前記ハウジング１０の開放された一側面に複数の係合突出部１１を形成し、前記蓋２０には前記係合突出部１１の外周面が嵌め込まれるように対応形状の係合孔２１を形成して構成する。前記係合突出部１１はハウジング１０の開放された一側面の両側に１個ずつ形成し、ほぼ長方形の断面を有するようにする。
【００１８】
また、前記蓋２０の係合孔２１の長手方向内周面には係合片２２を形成する。この係合片２２は係合突出部１１を係合孔２１に挿入する際弾性変形し、この弾性変形による復原力で係合突出部１１の外周面と密着する。前記蓋２０の係合片２２は係合孔２１の対向する両内縁部を平行に切り取った一対の切欠溝２３により形成される。また、前記係合片２２に対向する位置の係合突出部１１の両側面には、係合片２２に向けて突出させた密着部１２を形成した構成である。
【００１９】
この時、前記両係合片２２の先端間の距離ｂは、前記係合突出部１１に形成した両密着部１２の先端間の距離ａより短く設定することが好ましく、係合片２２は弾性変形する方向に少し曲げて形成しても良い。
【００２０】
このように構成した本発明に係るプッシュスイッチの作用を説明すると、次の通りである。図１及び図３Ａに示したように、ハウジング１０の内部にメタルドームスイッチ(不図示)と押しボタン３０を順に設けた後、蓋２０の係合孔２１をハウジング１０の係合突出部１１に嵌め込んでハウジング１０の開放部を蓋２０で覆う。この時、係合孔２１の両内周面に形成した両係合片２２の先端間の距離ｂは係合突出部１１の両密着部１２の先端間の距離ａより短く形成されている。したがって、密着部１２が係合片２２の先端を上方に押し上げて、図３Ａに仮想線で示した状態のように弾性変形するようになる。
【００２１】
したがって、継続的な弾性変形により係合片２２の先端間の距離ｂが密着部１２の先端間の距離ａより大きくなると、係合突出部１１が蓋２０の係合孔２１を貫通するようになり、弾性変形した係合片２２には元の位置に復帰しようとする弾性復原力が発生するようになる。この弾性復原力により係合片２２の先端が係合突出部１１の密着部１２の表面を押圧するので、図３Ｂに示したようにハウジング１０の係合突出部１１が蓋２０の係合孔２１に完全に嵌め込まれて固定された状態を維持できるようになる。
【００２２】
また、前述したように、係合片２２の弾性復原力により係合突出部１１と係合片２２が固定された状態で蓋２０が係合突出部１１から抜け出る方向に力が作用する場合、両係合片２２は先端間の距離ｂがさらに狭くなる方向に力を受けるようになる。したがって、係合突出部１１の密着部１２をさらに押圧して蓋２０が係合突出部１１から抜け出ることをより一層難しくする。これによって、ハウジング１０と蓋２０の組立状態は容易に分離しない堅固な係合状態を維持できる。
【００２３】
一方、メンテナンスなどのため組み立てられた蓋２０をハウジング１０から分離しなければならない場合は、ハウジング１０の係合突出部１１を押圧している蓋２０の係合片２２を別の道具、例えば一字ドライバーを利用して両係合片２２の先端間の距離ｂが遠ざかる方向に力を加えると、係合突出部１１の密着部１２の表面を押圧する係合片２２の押圧力を弱化させたり、或は密着部１２の表面から係合片２２の先端を離間させることができて、蓋２０をハウジング１０の係合突出部１１から分離できるようになる。これによって、係合突出部１１の損傷なく蓋２０が分離されるので、再使用時ハウジング１０と蓋２０を組み立てることができる。
【産業上の利用可能性】
【００２４】
以上のように、本発明によれば、ハウジングの係合突出部に蓋の係合孔を挿入する作業により蓋の係合片が弾性変形し、この係合片の弾性変形による復原力で係合突出部の外周面に係合片の先端が密着して固定されることによって、ハウジングと蓋の組立作業を単一工程により非常に簡易で、迅速に行うことができる。これによって、製品組立時の作業工数が減少して生産性が向上し、組立工程を自動化する場合コストを低減できる。
【００２５】
また、ハウジングの係合突出部に密着されている蓋の係合片を係合突出部から若干離間させると、ハウジングの係合突出部が損傷しない状態で蓋をハウジングから容易に分離できる。したがって、ハウジングと蓋を再び組み立てることができるので、経済的損失を防止できる。従って、本発明の産業利用性はきわめて高いものといえる。
【００２６】
一方、本明細書内で本発明をいくつかの好ましい実施形態によって記述したが、当業者ならば、添付の特許請求範囲に開示した本発明の範疇及び思想から外れずに、多くの変形及び修正がなされ得ることがわかるはずである。
【符号の説明】
【００２７】
１０  ハウジング
１１  係合突出部
１２  密着部
２０  蓋
２１  係合孔
２２  係合片
２３  切欠溝
【図１】
2013033648.tif 000003
【図２Ａ】
2013033648.tif 000004
【図２Ｂ】
2013033648.tif 000005
【図３Ａ】
2013033648.tif 000006
【図３Ｂ】
2013033648.tif 000007
【図４】
2013033648.tif 000008